(57)【要約】【課題】同一色の系列同士を簡単な構成で接続することによって混色性を高めることができるＬＥＤパッケージを提供すること。【解決手段】基板２上に実装された発光色が同一のＬＥＤ同士（赤ＬＥＤ３Ｒ同士、緑ＬＥＤ３Ｇ同士及び青ＬＥＤ３Ｂ同士）をパターン電極４〜９によって接続して成るループ状の系列（第１の赤系列Ｒ１、第１の緑系列Ｇ１、第１の青系列Ｂ１、第２の赤系列Ｒ２、第２の緑系列Ｇ２、第２の青系列Ｂ２）を備え、同一色の複数の系列の間に他の色の系列を配置した状態で該同一色の系列同士を接続して構成されるＬＥＤパッケージ１において、前記同一色の系列同士、即ち、第１の赤系列Ｒ１と第２の赤系列Ｒ２同士、第１の緑系列Ｒ１と第２の緑系列Ｇ２及び第１の青系列Ｂ１と第２の青系列Ｂ２とを前記基板２の外でリード線１１，１４，１７によってそれぞれ接続する。【選択図】図１
2014154641.tif 000002
【特許請求の範囲】
【請求項１】
基板上に実装された発光色が同一のＬＥＤ同士をパターン電極によって接続して成るループ状の系列を複数備え、同一色の複数の系列の間に他の色の系列を配置した状態で該同一色同士の系列同士を接続して構成されるＬＥＤパッケージにおいて、
前記同一色の系列同士を前記基板の外でリード線によって接続したことを特徴とするＬＥＤパッケージ。
【発明の詳細な説明】
【技術分野】
【０００１】
本発明は、基板上に実装された発光色が同一のＬＥＤ同士をパターン電極によって接続して成るループ状の系列を複数備えるＬＥＤパッケージに関するものである。
【背景技術】
【０００２】
近年、高輝度で耐久寿命の長いＬＥＤを基板上に直に実装して成るＣＯＢ（Chip On Boad）タイプのＬＥＤパッケージが照明器具や液晶ディスプレイ等の光源として使用されている（例えば、特許文献１参照）。斯かるＣＯＢタイプのＬＥＤパッケージは、表面にパターン電極が金属膜によって形成された平板状の基板にＬＥＤを実装し、該ＬＥＤをパターン電極に電気的に接続し、ＬＥＤやパターン電極を樹脂によって封止して構成されている。
【０００３】
ところで、舞台照明や看板照明、演出照明等の光源にはフルカラーのＬＥＤパッケージが用いられているが、このフルカラーのＬＥＤパッケージは、基板上に色の３原色であるＲＧＢ（赤、緑、青）の光を発する赤色ＬＥＤと緑色ＬＥＤ及び青色ＬＥＤを実装し、これらのＬＥＤから発せられる光の色の混合（調色）によってフルカラーの光を出射するものである。
【０００４】
斯かるフルカラーのＬＥＤパッケージにおいては、混色性を高めるために、色の異なるＬＥＤをランダムに配置する必要がある。このため、発光色が同一のＬＥＤ同士をパターン電極によって接続して成るループ状の系列を基板上に複数形成し、同一色の複数の系列の間に他の色の系列を配置した状態で該同一色同士の系列同士を接続する構成が採用されている。
【先行技術文献】
【特許文献】
【０００５】
【特許文献１】特開２０１２−０９９５７２号公報
【発明の概要】
【発明が解決しようとする課題】
【０００６】
発光色が同一のＬＥＤ同士をパターン電極によって接続して成るループ状の系列を基板上に複数形成して成るフルカラーのＬＥＤパッケージにおいては、片面基板ではパターン電極を引き回すことができず、同一色の複数系列同士をこれらの間に配置された他の色の系列のパターン電極との交差を避けて接続することは不可能である。仮に基板上でパターン電極を引き回すことができたとしても、０Ω抵抗を用いる等してブリッジ構造を採る必要があり、部品点数が増えて構造が複雑化するという問題がある。
【０００７】
或いは、多層基板によって回路パターンを引くことは可能であるが、コストアップを避けられず、金属基板を用いることができないという問題がある。
【０００８】
本発明は上記問題に鑑みてなされたもので、その目的とする処は、同一色の系列同士を簡単な構成で接続することによって混色性を高めることができるＬＥＤパッケージを提供することにある。
【課題を解決するための手段】
【０００９】
上記目的を達成するため、本発明は、基板上に実装された発光色が同一のＬＥＤ同士をパターン電極によって接続して成るループ状の系列を複数備え、同一色の複数の系列の間に他の色の系列を配置した状態で該同一色同士の系列同士を接続して構成されるＬＥＤパッケージにおいて、前記同一色の系列同士を前記基板の外でリード線によって接続したことを特徴とする。
【発明の効果】
【００１０】
本発明によれば、混色性を高めるために同一色の複数の系列の間に他の色の系列を配置したＬＥＤパッケージであっても、同一色の系列同士を基板の外で接続するようにしたため、基板上でのパターン電極同士の交差を生じることなく、同一色の系列同士を簡単な構成で接続することができ、色の異なるＬＥＤの配置の自由度が高められてＬＥＤパッケージの混色性が高められる。
【図面の簡単な説明】
【００１１】
【図１】本発明に係るＬＥＤパッケージの平面図である。
【図２】本発明の変形例を示すＬＥＤパッケージの平面図である。
【発明を実施するための形態】
【００１２】
以下に本発明の実施の形態を添付図面に基づいて説明する。
【００１３】
図１は本発明に係るＬＥＤパッケージの平面図であり、図示のＬＥＤパッケージ１はフルカラーのパッケージであって、矩形平板状の基板２上には、色の３原色であるＲＧＢ（赤、緑、青）の光を発する赤色ＬＥＤ３Ｒと緑色ＬＥＤ３Ｇ及び青色ＬＥＤ３Ｂがそれぞれ複数実装されている。
【００１４】
上記基板２は、絶縁性が高くて光透過性の低い材料、例えばセラミックス、フェノール樹脂、エポキシ樹脂、ポリイミド樹脂等によって構成されている。そして、この基板２上には、同心状の正四角形の頂点或いは頂点と辺の上に３個の赤色ＬＥＤ３Ｒ同士をパターン電極４によって接続して成るループ状の第１の赤系列Ｒ１、３個の緑色ＬＥＤ３Ｇ同士をパターン電極５によって接続して成る第１の緑系列Ｇ１、３個の青色ＬＥＤ３Ｂ同士をパターン電極６によって接続して成る第１の青系列Ｂ１、７個の赤色ＬＥＤ３Ｒ同士をパターン電極７によって接続して成るループ状の第２の赤系列Ｒ２、７個の緑色ＬＥＤ３Ｇ同士をパターン電極８によって接続して成る第２の緑系列Ｇ２、７個の青色ＬＥＤ３Ｂ同士をパターン電極９によって接続して成る第２の青系列Ｂ２が内側から外側に向かって同心状に順次配置されている。従って、第１の赤系列Ｒ１と第２の赤系列Ｇ２との間には第１の緑系列Ｇ１と第１の青系列Ｂ１が配置され、第１の緑系列Ｇ１と第２の緑系列Ｇ２との間には第１の青系列Ｂ１と第２の赤系列Ｒ２が配置され、第１の青系列Ｂ１と第２の青系列Ｂ２との間には第２の赤系列Ｒ２と第２の緑系列Ｇ２が配置されている。
【００１５】
以上のように第１の赤系列Ｒ１、第１の緑系列Ｇ１、第１の青系列Ｂ１、第２の赤系列Ｒ２、第２の緑系列Ｇ２、第２の青系列Ｂ２を交互に配置することによって赤ＬＥＤ３Ｒと緑ＬＥＤ３Ｇ及び青ＬＥＤ３Ｂが基板２上に偏りなく交互に配置されることとなる。
【００１６】
而して、本実施の形態に係るＬＥＤパッケージ１においては、第１の赤系列Ｒ１と第２の赤系列Ｒ２の一端同士は、コネクタ１０に接続されたリード線１１によって接続されており、第１の赤系列Ｒ１の他端は、コネクタ１０から延びるリード線１２によって−端子２０ａに接続され、第２の赤系列Ｒ２の他端は、コネクタ１０から延びるリード１３線によって＋端子２０ｂに接続されている。
【００１７】
又、第１の緑系列Ｇ１と第２の緑系列Ｇ２の一端同士は、コネクタ１０から延びるリード線１４によって接続されており、第１の緑系列Ｇ１の他端は、コネクタ１０から延びるリード線１５によって−端子２１ａに接続され、第２の緑系列Ｇ２の他端は、コネクタ１０に接続されたリード線１６によって＋端子２１ｂに接続されている。
【００１８】
更に、第１の青系列Ｂ１と第２の青系列Ｂ２の一端同士は、コネクタ１０から延びるリード線１７によって接続されており、第１の青系列Ｂ１の他端は、コネクタ１０から延びるリード線１８によって−端子２２ａに接続され、第２の青系列Ｂ２の他端は、コネクタ１０に接続されたリード線１９によって＋端子２２ｂに接続されている。
【００１９】
以上のように構成されたＬＥＤパッケージ１において、各パターン電極４〜９に駆動電圧が印加されると、赤色ＬＥＤ３Ｒと緑色ＬＥＤ３Ｇ及び青色ＬＥＤ３Ｂから色の３原色である赤色光、緑色光及び青色光が発せられ、これらの光の色の混合によってＬＥＤパッケージ１からはフルカラーの光が出射される。
【００２０】
而して、本実施の形態に係るＬＥＤパッケージ１においては、混色性を高めるために第１の赤系列Ｒ１、第１の緑系列Ｇ１、第１の青系列Ｂ１、第２の赤系列Ｒ２、第２の緑系列Ｇ２、第２の青系列Ｂ２を交互に配置した場合であっても、同一色の系列同士、即ち、第１の赤系列Ｒ１と第２の赤系列Ｒ２同士、第１の緑系列Ｇ１と第２の緑系列Ｇ２同士及び第１の青系列Ｂ１と第２の青系列Ｂ２同士を基板２の外でリード線１１，１４，１７によってそれぞれ接続するようにしたため、基板２上でのパターン電極４〜９同士の交差を生じることなく、複数の赤ＬＥＤ３Ｒと緑ＬＥＤ３Ｇ及び青ＬＥＤ３Ｂの配置の自由度が高められて当該ＬＥＤパッケージ１の混色性が高められるという効果が得られる。
【００２１】
ところで、本発明は、図２に示すように各系列Ｒ１，Ｒ２，Ｇ１，Ｇ２，Ｂ１，Ｂ２が不定形のループとして構成され、第２の赤系列Ｒ２、第２の緑系列Ｇ２及び第２の青系列Ｂ２にそれぞれ含まれる赤ＬＥＤ３Ｒ、緑ＬＥＤ３Ｇ及び青ＬＥＤ３Ｂが第１の赤系列Ｒ１、第１の緑系列Ｇ１及び第１の青系列Ｂ２にそれぞれ含まれる赤ＬＥＤ３Ｒ、緑ＬＥＤ３Ｇ及び青ＬＥＤ３Ｂの内側に配置されているようなＬＥＤパッケージ１’であっても同様に適用可能である。
【００２２】
又、以上は本発明をフルカラーのＬＥＤパッケージに対して適用した形態について説明したが、本発明は、フルカラー以外の任意のＬＥＤパッケージに対しても同様に適用可能であって、ＬＥＤの色や個数は任意である。
【符号の説明】
【００２３】
１，１’        ＬＥＤパッケージ
２              基板
３Ｂ            青色ＬＥＤ
３Ｇ            緑色ＬＥＤ
３Ｒ            赤色ＬＥＤ
４〜９          パターン電極
１０            コネクタ
１１〜１９      リード線
２０ａ，２０ｂ  赤系列の端子
２１ａ，２１ｂ  緑系列の端子
２２ａ，２２ｂ  青系列の端子
Ｂ１            第１の青系列
Ｂ２            第２の青系列
Ｇ１            第１の緑系列
Ｇ２            第２の緑系列
Ｒ１            第１の赤系列
Ｒ２            第２の赤系列
【図１】
2014154641.tif 000003
【図２】
2014154641.tif 000004